(57)【特許請求の範囲】
【請求項１】
シャッター本体の開閉に連動してその閉成時にシャッター本体端部を起立保持し，開成時にこれを折り畳めるようにした中柱を有するシャッターであって，上記中柱を，開口部上方とシャッター本体の下端にそれぞれ回動自在に固定し，中間で回動自在に連結した長手方向に偶数の中柱バー材によって構成し、開口部の上方とシャッター本体下端との間に倒Ｖ字状，倒Ｗ字状等に屈伸自在に配置した屈伸リンク機構とすることによって，シャッター本体の開閉動に連動して開成時における開口部上方への屈曲収納と閉成時におけるシャッター本体起立保持の伸張起立との双方を自在としてなることを特徴とする屈伸自在の中柱を有する防煙シャッター。
【請求項２】
上記屈伸リンク機構を，シャッター本体端部の前後に対をなすように配置することによって，上記中柱をシャッター本体端部の前後挟持用としてなることを特徴とする請求項１に記載の屈伸自在の中柱を有する防煙シャッター。
【請求項３】
上記屈伸リンク機構を，隣接するシャッター本体の各端部にそれぞれ配置することによって，上記中柱をシャッター本体端部の個別起立保持用のものとしてなることを特徴とする請求項１に記載の屈伸自在の中柱を有する防煙シャッター。
【請求項４】
上記シャッター本体端部の個別起立保持用とした中柱を，隣接するシャッター本体閉成の伸張起立時に相互に嵌合又は係合自在としてなることを特徴とする請求項３に記載の屈伸自在の中柱を有する防煙シャッター。
【請求項５】
上記シャッター本体端部の個別起立保持用とした中柱を，隣接するシャッター本体閉成の伸張起立時に長手方向中間位置で相互にロック自在としてなることを特徴とする請求項３又は４に記載の屈伸自在の中柱を有する防煙シャッター。
【請求項６】
上記中柱を，シャッター本体の閉成時に，開口部の床に固定自在としてなることを特徴とする請求項１，２，３，４又は５に記載の屈伸自在の中柱を有する防煙シャッター。
【請求項７】
上記シャッター本体が、該シャッター本体の挿通する収納部の受入孔を塞ぐ天井塞ぎ板を兼ねる座板を備えてなることを特徴とする請求項１，２，３，４、５又は６に記載の屈伸自在の中柱を有する防煙シャッター。
【請求項８】
シャッター本体の開閉に連動してその閉成時にシャッター本体端部を起立保持し，開成時にこれを折り畳めるようにしたシャッターの中柱であって，開口部上方とシャッター本体の下端にそれぞれ回動自在に固定し，中間で回動自在に連結した長手方向に偶数の中柱バー材によって構成して、開口部の上方とシャッター本体下端との間に倒Ｖ字状，倒Ｗ字状等に屈伸自在に配置した屈伸リンク機構とすることによって，シャッター本体の開閉動に連動して開成時における開口部上方への屈曲収納と閉成時におけるシャッター本体起立保持の伸張起立との双方を自在としてなることを特徴とする防煙シャッターの屈伸自在の中柱。
【請求項９】
上記中柱を、シャッター本体の端部から面内の横方向に向けて屈曲と伸張を行なうようにしてなることを特徴とする請求項８に記載の防煙シャッターの屈伸自在の中柱。
【発明の詳細な説明】
【０００１】
【発明の属する技術分野】
本発明は建物の開口部に設置するシャッターに関し，特に開口部に複数のシャッター本体を配置するときにシャッター本体の端部を起立保持するように用いる屈伸自在の中柱を有する防煙シャッター及びその中柱に関する。
【０００２】
【従来の技術】
この種シャッターは，複数のシャッター本体を開口部に配置するとともにシャッター本体端部を開口部の幅方向中間位置に介設した中柱によって起立保持する連装納まりのものとされるとき，一般に中柱は，例えば軽量シャッターにおいて典型的に見られるように，それぞれシャッター本体端部の開閉案内用のコ字状ガイド溝を背中合せに配置した，例えば断面Ｈ字状にして開口部の開口高の長さを備えた鋼製一体のものとし，上下端部を開口部の対向する上下面に着脱自在に係合起立することによって設置し，シャッター本体端部を受入案内してシャッター本体の開閉を可能とし，閉成時にその定位置における起立保持を自在とする一方，開成時にはこれを取り外し除去することによって開口部を開放するようにしたものとされている。
【０００３】
【発明が解決しようとする課題】
この場合シャッター本体の開閉に際して，中柱の設置や取り外しが必要になって，その作業が煩雑である一方，一部のシャッター，例えば防煙シャッターにあっては，建設省告示（第２５６４号）によって，開口部の開口幅が５ｍを超える場合には，乙種防火戸と同等以上の性能のものを併設するべきものとして，例えば中柱を設置することが要求されており，従って一般に５ｍを超える開口幅とされるのが普通である舗等にあっては，中柱を用いないと防煙シャッターを設置できないという問題点がある。
【０００４】
本発明は係る事情に鑑みてなされたもので，その解決課題とするところは，第１に，シャッター本体の開閉に連動してその閉成時にシャッター本体端部を起立保持する中柱をなし，開成時にこれを折り畳めるようにして，シャッター本体の開閉に際しての設置や取り外しを解消し，また必要に応じて上記防煙シャッターに必要とされる中柱に代えて用いることが可能な屈伸自在の中柱を有する防煙シャッターを提供するにあり，第２に該シャッターの中柱を提供するにある。
【０００５】
【課題を解決するための手段】
上記第１の課題に添って請求項１に記載の発明は，シャッターのシャッター本体を定位置に起立保持自在とする中柱を，シャッター本体を設置した開口部の上方，例えばシャッターケースや建物躯体等と，シャッター本体下端（下端部分乃至下端近傍部分等といってもよい），例えば下端のシャッター構成材や座板（水切座板，エンドスラット等といわれることもある）等との間で倒Ｖ字状，倒Ｗ字状等に屈曲伸張する屈伸リンク機構（屈伸リンク又は屈伸リンク装置といってもよい）をなすように屈伸自在のものとして構成し，シャッター本体の開閉に伴うその下端の昇降に応じて，開成時に屈曲収納し，閉成時に伸張起立してシャッター本体の端部を起立保持し得るようにしたものであって，即ち請求項１に記載の発明を，シャッター本体の開閉に連動してその閉成時にシャッター本体端部を起立保持し，開成時にこれを折り畳めるようにした中柱を有するシャッターであって，上記中柱を，開口部上方とシャッター本体の下端にそれぞれ回動自在に固定し，中間で回動自在に連結した長手方向に偶数の中柱バー材によって構成し、開口部の上方とシャッター本体下端との間に倒Ｖ字状，倒Ｗ字状等に屈伸自在に配置した屈伸リンク機構とすることによって，シャッター本体の開閉動に連動して開成時における開口部上方への屈曲収納と閉成時におけるシャッター本体起立保持の伸張起立との双方を自在としてなることを特徴とする屈伸自在の中柱を有する防煙シャッターとしたものである。
【０００６】
請求項２に記載の発明は，上記に加えて，中柱によるシャッター本体端部の起立保持を更に確実なものとするように、これを、上記屈伸リンク機構を，シャッター本体端部の前後に対をなすように配置することによって，上記中柱をシャッター本体端部の前後挟持用としてなることを特徴とする請求項１に記載の屈伸自在の中柱を有する防煙シャッターとしたものである。
【０００７】
請求項３に記載の発明は，同じく上記に加えて，隣接するシャッター本体端部の起立保持をそれぞれ確実に行なうとともに，隣接するシャッター本体の開閉を問わずに閉成したシャッター本体端部の起立保持を単独になし得るように，これを，上記屈伸リンク機構を，隣接するシャッター本体の各端部にそれぞれ配置することによって，上記中柱をシャッター本体端部の個別起立保持用のものとしてなることを特徴とする請求項１に記載の屈伸自在の中柱を有する防煙シャッターとしたものである。
【０００８】
請求項４に記載の発明は，同じく上記に加えて，上記個別起立保持用としたときに，隣接するシャッター本体双方の閉成時に風圧等の外力による中柱の前後揺動可能性を可及的に解消し，シャッター本体端部の起立保持の確実性を向上するように，これを，上記シャッター本体端部の個別起立保持用とした中柱を，隣接するシャッター本体閉成の伸張起立時に相互に嵌合又は係合自在としてなることを特徴とする請求項３に記載の屈伸自在の中柱を有する防煙シャッターとしたものである。
【０００９】
請求項５に記載の発明は，同じく上記に加えて，上記個別起立保持用としたときに，隣接するシャッター本体双方の閉成時にそれぞれの中柱を一体化し，シャッター本体端部の起立保持の確実性を向上するように，これを，上記シャッター本体端部の個別起立保持用とした中柱を，隣接するシャッター本体閉成の伸張起立時に長手方向中間位置で相互にロック自在としてなることを特徴とする請求項３又は４に記載の屈伸自在の中柱を有する防煙シャッターとしたものである。
【００１０】
請求項６に記載の発明は，同じく上記に加えて，シャッター本体の閉成時に上記中柱の下端を開口部の床に固定することによって，上記固定中柱に代わる中柱として，５ｍを超える開口幅の店舗等に開口部を区切ることなく，防煙シャッターを設置し得るものとするように，これを、上記中柱を，シャッター本体の閉成時に，開口部の床に固定自在としてなることを特徴とする請求項１，２，３，４又は５に記載の屈伸自在の中柱を有する防煙シャッターとしたものである。
【００１１】
請求項７に記載の発明は、上記シャッター本体の形態を示すものとして、これを、上記シャッター本体が、該シャッター本体の挿通する収納部の受入孔を塞ぐ天井塞ぎ板を兼ねる座板を備えてなることを特徴とする請求項１，２，３，４、５又は６に記載の屈伸自在の中柱を有する防煙シャッターとしたものである。
【００１２】
請求項８に記載の発明は、上記第２の課題に添って，これら防煙シャッターの中柱を提供するように，これを，シャッター本体の開閉に連動してその閉成時にシャッター本体端部を起立保持し，開成時にこれを折り畳めるようにしたシャッターの中柱であって，開口部上方とシャッター本体の下端にそれぞれ回動自在に固定し，中間で回動自在に連結した長手方向に偶数の中柱バー材によって構成して、開口部の上方とシャッター本体下端との間に倒Ｖ字状，倒Ｗ字状等に屈伸自在に配置した屈伸リンク機構とすることによって，シャッター本体の開閉動に連動して開成時における開口部上方への屈曲収納と閉成時におけるシャッター本体起立保持の伸張起立との双方を自在としてなることを特徴とする防煙シャッターの屈伸自在の中柱としたものである。
【００１３】
請求項９に記載の発明は、上記中柱の形態を示すものとして、これを、上記中柱を、シャッター本体の端部から面内の横方向に向けて屈曲と伸張を行なうようにしてなることを特徴とする請求項８に記載の防煙シャッターの屈伸自在の中柱としたものである。
【００１４】
本発明はこれらをそれぞれ発明の要旨として，上記第１又は第２の課題解決の手段としたものである。
【００１５】
本発明の防煙シャッターにおけるシャッター本体は，上下方向に開閉して，開口を仕切るように設置し得るものであれば，例えばシャッター構成材としてシャッタースラットを上下に回動自在に連結した形態のもの，シャッター構成材として幅広パネルを上下に折畳み自在に連結した形態のもの等とすることができ，またその開成時の収納部への収納を，例えば収納部に設置した巻取軸に巻取収納する形態のもの，収納部に設置した分岐ガイドレールに添って開口部上又は開口部交差方向に蛇腹状に折畳んで収納する形態のもの，同じく収納部に設置したガイドレールに添って開口部交差方向に回動して一連のまま収納する形態のもの等各種のものとすることができ，更に中柱上端の開口部上方との関係は，上記のように，例えば天井面，シャッターケース等のシャッター本体受入孔に設置したまぐさやこれに設けたブラケット，シャッターケース内や天井仕上げ面上の収納部内に設置した支持枠やこれらに設けたブラケット，上記収納部内の上階コンクリートスラブ等の建物躯体やこれに設けたブラケット等開口部上方で屈伸リンク機構の上端を定位置に維持し得る部分への支持乃至固定によって行なうことができ，中柱下端のシャッター本体との関係は，上記のように，例えばシャッター本体の下端に位置するシャッター構成材，座板，等，開口部で上下方向垂直に昇降することによって屈伸リンク機構を屈伸し得るシャッター本体の下端部分への支持乃至固定によって行なうことができる。
【００１６】
【発明の実施の形態】
以下図面の例に従って本発明を更に具体的に説明すると，図１乃至図８において，Ａは中柱を有する防煙シャッター，１はその開口部両端部に配置したガイドレール，２はシャッター本体，３は屈伸自在の中柱，４はシャッター本体２の収納部であり，該シャッターＡは，開口部に複数のシャッター本体２を並列配置するとともに開口部幅方向中間位置に配置した中柱３によって隣接するシャッター本体２の端部を同時又は個別に定位置に起立保持自在としたものとしてある。
【００１７】
即ち本例において中柱を有する防煙シャッターＡは，上記各種のシャッター本体２及びその収納の形態から，例えば軽量シャッター等において一般的な，シャッター構成材２１としてシャッタースラットを上下に回動自在に連結し，開口部上方の収納部４に設置した巻取軸４５に巻取り収納するようにした巻取収納用にして手動開閉乃至電動開閉用のものとしてあり，本例にあってシャッター本体２は，例えば２枚を開口部に並列配置し，回転軸の幅方向に並置した，例えばシャッター本体２毎に異径とした巻取軸４５にそれぞれ巻取自在とすることによって，シャッター本体２間でその開閉スピードを異ならしめ，防煙シャッターとして使用可能とするように連装納まりのものとしてある。
【００１８】
このとき上記中柱３は，これを，シャッター本体の開閉に連動してその閉成時にシャッター本体端部を起立保持し，開成時にこれを折り畳めるようにしたものとしてあり、例えば開口部の上方とシャッター本体２下端との間に倒Ｖ字状，倒Ｗ字状等に屈伸自在に配置した屈伸リンク機構としてあり、本例にあって上記屈伸リンク機構は，これを，シャッター本体２端部の前後に対をなすように配置することによって，上記中柱３をシャッター本体２端部の前後挟持用とする一方，同じく上記屈伸リンク機構を，隣接するシャッター本体２の各端部にそれぞれ配置することによって，上記中柱３をシャッター本体２端部の個別起立保持用，即ち上記隣接するシャッター本体２の端部を個別に定位置に起立保持自在とするものとしてある。
【００１９】
即ち上記屈伸リンク機構は，これを開口部上方とシャッター本体２の下端にそれぞれ回動自在に固定し，中間で回動自在に連結した長手方向に偶数の中柱バー材３１によって構成したものとし，これによって開口部の上方とシャッター本体２下端との間に倒Ｖ字状，倒Ｗ字状等に屈伸自在に配置したものとしてあり，上記シャッター本体２の開閉動に連動して開成時における開口部上方への屈曲収納と閉成時におけるシャッター本体２起立保持の伸張起立との双方を自在としてある。このとき本例にあって上記偶数の中柱バー材３１における長手方向中間の回動自在の連結は，各中柱バー材３１の端部一側，即ち非シャッター本体側の外側に跨るようにジョイント部材３２，例えばジョイントプレートを前後に重合状に介設し，該ジョイント部材３２との重合部においてそれぞれ中柱バー材３１と該ジョイント部材３２とを回動自在に軸支固定することによって行なってあり，これにより中柱バー材３１の連結部において，例えば中柱３としての強度を確保するように比較的厚さのある中柱バー材３１を用いた場合に，これら同士を重ねて直接に連結することにより，中柱３の中間に段差を生じ，該部分がシャッター本体２から離れるのを防止し，中柱バー材３１を直列に段差なく配置して，シャッター本体２の端部に近接した，その起立保持と，本例にあってシャッター本体２端部の一連にして空隙のない挟持とを可能とするようにし，また後述の中柱３の嵌合乃至係合を中柱３の長手方向全長に亘って可及的に確実になし得るようにしてある。
【００２０】
本例の屈伸リンク機構は，中柱３の高さを区分，本例にあっては等区分した，例えば２本の，強度を確保するように比較的厚さのある中柱バー材３１を用い，これら２本の中柱バー材３１をジョイント部材３２を介して回動自在に連結し，例えば標準的な高さの開口部に好適に用い得るように倒Ｖ字状の屈伸を行なうものとしてあり，該屈伸リンク機構は，その上端（上端近傍部分といってもよい）を上記開口部上方，例えば収納部４にシャッター本体２を挿通する受入孔４１を画するまぐさ４２，該まぐさ４２を固定支持する支持枠４３又はコンクリート梁等に，ブラケット３３を介して回動自在に軸支固定し，下端（下端近傍部分といってもよい）をシャッター本体２下端，例えばシャッター本体２の，本例において上記受入孔４１を塞ぐように天井塞ぎ板を兼ねる座板２２に，同じくブラケット３３を介して，上記上端の回動自在の固定位置に対応してこれと垂直となる位置に同じく軸支固定して，その中柱３としての屈曲と伸張を，本例においてシャッター本体２の端部から面内の横方向に向けて行なうようにした屈伸自在のものとしてあり，上記シャッター本体２の挟持用とし且つ隣接するシャッター本体２端部の個別起立保持用とした，本例の中柱３にあっては，上記屈伸リンク機構を隣接するシャッター本体２の各端部の前後にそれぞれ対をなすように屈伸自在に配置してそれぞれシャッター本体２端部を挟持するようにしてある。
【００２１】
このとき本例の屈伸リンク機構の上端における回動自在の固定は，上記ブラケット３３とともに，例えばＨ字状にすることによって隣接するシャッター本体２の通過を阻害することのない内側ブラケット３４を，隣接する屈伸リンク機構側に跨って，前後の屈伸リンク機構間に介設するように配設してあり，これによって屈伸リンク機構をそれぞれ前後で確実に支持するように行なうとともに各個別起立用にして前後挟持用の合計４箇所の固定部分を一体化し，その作業と位置決めを容易になし得るようにしてある。
【００２２】
本例の上記シャッター本体２端部の個別起立保持用とした中柱３は，これを，隣接するシャッター本体２閉成の伸張起立時に相互に嵌合又は係合自在としてあり，本例にあっては，隣接する相互間において，例えば相互に相决り係合するように係合自在としてあり，本例の該相决り係合は，上記前後の屈伸リンク機構がそれぞれ隣接同士で上記相决りの係合を行なうように，各屈伸リンク機構の中柱バー材３１に突条３５を突設するとともに該突条３５の突設位置を隣接相互間で前後にずらして，前後の各屈伸リンク機構毎にそれぞれ上記相决り係合を行なうようにしてあり，これによって隣接するシャッター本体２の閉成時に，中柱３の前後揺動可能性を可及的に解消し，シャッター本体２端部の起立保持の確実性を向上するようにしてある。
【００２３】
また本例の上記シャッター本体２端部の個別起立保持用とした中柱３はこれを，隣接するシャッター本体２閉成の伸張起立時に長手方向中間位置で相互にロック自在としてあり，本例にあって該ロックは，中柱３の所定高さ位置に設けたロック装置３６を用いたものとし，これによって同じく隣接するシャッター本体２双方の閉成時にそれぞれの中柱３を一体化し，シャッター本体２端部の起立保持の確実性を向上するようにしてある。
【００２４】
本例のロック装置３６は，これを，例えば打掛金物，ラッチ，キャッチ金物等の簡易な錠を用いてあり，本例にあっては打掛金物を用い，その受金具を一方の中柱３に，レバー金具を他方の中柱３にそれぞれ配置して，双方の中柱３の伸張起立時にロック装置３６を操作して，これら双方の中柱３を一体化するようにしてあり，上記シャッター本体２の挟持用とした本例の中柱３にあっては，前後の屈伸リンク機構の双方又は一方に該ロック装置３６を設置するようにし，本例にあっては該ロック装置３６をシャッター本体２の前後一方，例えば室内側に位置する中柱３の屈伸リンク機構に配置したものとしてある。
【００２５】
更に本例の上記中柱３は，これを，シャッター本体２の閉成時に，開口部の床に固定自在としてあり，本例にあって該床への固定は，中柱３と床面間で中柱３を固定する固定装置３７を用いたものとし，これによってシャッター本体２の閉成時に中柱３の下端を開口部の床に固定し，上記建設省告示の乙種防火戸と同等以上の性能の固定併設物として，該中柱３をこれと同等のものとして，５ｍを超える開口幅の店舗等に従前の中柱等を用いることなく，防煙シャッターを設置し得るようにしてある。
【００２６】
本例の固定装置３７は，例えば丸落し，フランス落し等の簡易な上落しを用いてあり，本例にあってはフランス落しを用い，落し金物を中柱３に，受金具を開口部の床面に埋込設置してシャッター本体２の閉成時に上落しを操作して，該シャッター本体２を床面に固定するようにしてあり，同じく上記シャッター本体２の挟持用とした本例の中柱３にあっては，前後の屈伸リンク機構の双方又は一方に該固定装置を設置するようにし，本例にあっては該固定装置３７をシャッター本体２の前後一方の，例えば同じく室内側に位置する中柱３の屈伸リンク機構下方とその直下位置の床面に設置したものとしてある。
【００２７】
図中４４は収納部４における上記巻取軸４５にシャッター本体２を屈曲案内するガイド用のプーリー，４６は，シャッターＡを防煙シャッターとし得るように，まぐさ４２，中柱３等における所定位置に設置した遮煙材を示す。
【００２８】
図９乃至図１２は，それぞれ主にシャッター本体２と中柱３との他の例を示すもので，図９及び図１０は，中柱３の高さを区分して，４区分した４本の中柱バー材３１を用いて屈伸リンク機構を構成した例であり，本例にあって該屈伸リンク機構は，これを，開口部上方とシャッター本体２の下端にそれぞれ回動自在に固定する一方，４本の，本例にあって，例えば異長とした中柱バー材３１をその隣接する３箇所の中間でそれぞれ回動自在に連結して，屈伸リンク機構を倒Ｗ字状等に屈伸自在に配置することによって中柱３を構成するようにした例であり，このとき屈伸リンク機構を倒Ｗ字状に屈伸自在とすることによって，例えば数ｍといったようにシャッター本体２の高さ，即ち開口部の高さが高いものについても屈伸自在の中柱３を設置することが可能となる。
【００２９】
図１１は，シャッター本体２を，そのシャッター構成材２１をなす一対の横桟間毎に，例えばＸ字状のリンク２３を介設することによって横桟を上下に各一対の横桟毎に個別伸縮自在に連結して構成し，例えば上方に縮小して収納し，下方に伸張して閉成するようにし，また上記横桟をそれぞれ上下に分割形成するとともに相互にヒンジ連結し，例えば図示省略のガイドレールによって開口部交差方向に縮小して折畳み収納し，同様に伸張して閉成するようにし，このとき中柱３を，例えば標準的な開口部の高さに好適に用い得るように上記例と同様に倒Ｖ字状に屈伸自在とした例である。
【００３０】
図１２は，シャッター本体２を，そのシャッター構成材２１をなすガラス入りのフレームをヒンジ連結し，蛇腹状に折畳み自在として，例えば図示省略の分岐ガイドレールによって開口部交差方向に蛇腹状折畳収納し，同様に伸張して閉成するようにし，中柱３を同じく上記倒Ｖ字状に屈伸自在とした例である。
【００３１】
図９乃至図１２のその余は上記例と基本的に同じであるから，同一符号を付して重複する説明を省略する。
【００３２】
図示した例は以上のとおりとしたが，開口部に並列配置するシャッター本体を３枚又はそれ以上の多数とする連装納まりとして，それぞれ隣接するシャッター本体端部を上記屈伸中柱で定位置に起立保持するようにすること，屈伸リンク機構をシャッター本体の前後一方に配置し，該一方の屈伸リンク機構によって該シャッター本体の起立保持を行なう中柱とすること，隣接するシャッター本体の一方のシャッター本体に設置した中柱を他方のシャッター本体側に突出して他方のシャッター本体端部の起立保持を行なうことによって，該中柱による隣接するシャッター本体の起立保持を同時に行なうようにすること，このとき上記突出部分にガイドレールを形成して，他方のシャッター本体の開閉案内をなし得るようにして，その起立保持を行なうようにすること，屈伸リンク機構の屈伸を，上記倒Ｖ字状，倒Ｗ字状のものに限らずに，中柱バー材を偶数としたものであれば，これら倒Ｖ字状と倒Ｗ字状，倒Ｗ字状同士等適宜の組合せによるものとすること，屈伸リンク機構中間における中柱バー材の回動自在の連結を，相互に嵌合し又は重合する嵌合部又は重合部において行なうことによって，上記ジョイント部材を用いた回動自在の連結と同様に直列にして段差の生じないものとすること，上記シャッター本体端部の個別起立保持用とした中柱を，上記相互に係合自在としたものに代えて，隣接するシャッター本体閉成の伸張起立時に相互に嵌合自在とすること，屈伸リンク機構の屈伸方向，特に屈曲方向をシャッター本体の面内方向とするために，上端，下端の軸支固定乃至中間の連結部分に面外方向への回動を規制するように，ストッパー突起等の回動規制措置を施すようにすること，倒Ｖ字状の屈伸リンク機構を標準的な高さの開口部に用い，高さの制約を比較的受けることのない倒Ｗ字状や上記組合せの屈伸リンク機構を更に高さの高い開口部に用いるように，開口部の高さに応じて伸縮リンク機構の屈曲形態を変えて用いるようにすること，隣接するシャッター本体の開閉を，上記例のように異なるスピードで行なうことなく，同一のスピードで行なうようにしたときに，隣接するシャッター本体端部の個別起立保持用の中柱を，その上下端双方で相互に連結することによって，シャッター本体の同時開閉に際して，中柱の屈伸を同時に行なうようにすること等を含めて，本発明の実施に当って，シャッター本体，屈伸自在の中柱，その屈伸リンク機構，必要に応じて用いることある中柱バー材，ジョイント部材，ロック装置，床面との固定装置等の各具体的構造，形状，材質，数，これらの関係，これらに対する付加等は，上記発明の要旨に反しない限り，様々な形態のものとすることができる。
【００３３】
【発明の効果】
本発明は以上のとおりに構成したから，請求項１に記載の発明は，シャッター本体を定位置に起立保持自在とする中柱を，シャッター本体を設置した開口部の上方と，シャッター本体下端との間で倒Ｖ字状，倒Ｗ字状等に屈曲伸張する屈伸リンク機構をなすように屈伸自在のものとして構成し，シャッター本体の開閉に伴うその下端の昇降に応じて，開成時に屈曲収納し，閉成時に伸張起立してシャッター本体の端部を起立保持し得るようにすることによって，シャッター本体の開閉に連動してその閉成時にシャッター本体端部を起立保持する中柱をなし，開成時にこれを折り畳めるようにして，シャッター本体の開閉に際しての設置や取り外しを解消し，また必要に応じて上記固定中柱に代えて用いることが可能な屈伸自在の中柱を有する防煙シャッターを提供することができる。
【００３４】
請求項２に記載の発明は，上記に加えて，上記屈伸リンク機構をシャッター本体の前後に配置してシャッター本体を前後で挟持するようにしたことによって，中柱によるシャッター本体端部の起立保持を更に確実なものとすることができる。
【００３５】
請求項３に記載の発明は，同じく上記に加えて，隣接するシャッター本体端部の起立保持をそれぞれ確実に行なうとともに，隣接するシャッター本体の開閉を問わずに閉成したシャッター本体端部の起立保持を単独になし得るものとすることができる。
【００３６】
請求項４に記載の発明は，同じく上記に加えて，上記個別起立保持用としたときに，隣接するシャッター本体双方の閉成時に風圧等の外力による中柱の前後揺動可能性を可及的に解消し，シャッター本体端部の起立保持の確実性を向上することができる。
【００３７】
請求項５に記載の発明は，同じく上記に加えて，上記個別起立保持用としたときに，隣接するシャッター本体双方の閉成時にそれぞれの中柱を一体化し，シャッター本体端部の起立保持の確実性を向上することができる。
【００３８】
請求項６に記載の発明は，同じく上記に加えて，シャッター本体の閉成時に上記中柱の下端を開口部の床に固定することによって，上記固定中柱に代わる中柱として，５ｍを超える開口幅の店舗等に開口部を区切ることなく，防煙シャッターを設置し得るものとすることができる。
【００３９】
請求項８に記載の発明は，これら防煙シャッターに用いる屈伸自在の中柱を提供することができる。
【図面の簡単な説明】
【図１】  防煙シャッターの背面図である。
【図２】  シャッター本体の開閉状態を示す背面図である。
【図３】  シャッターの一部を省略した縦断面図である。
【図４】  シャッターの収納部の概要を示す縦断面図である。
【図５】  中柱とシャッター本体の関係を示す部分拡大平面図である。
【図６】  中柱の屈曲収納状態を示す部分拡大正面図である。
【図７】  中柱の屈曲収納状態を示す縦断面図である。
【図８】  中柱の床への固定状態を示す部分拡大背面図である。
【図９】  他の例のシャッターの背面図である。
【図１０】  図９のシャッター本体の開閉状態を示す背面図である。
【図１１】  他の例のシャッターの背面図である。
【図１２】  他の例のシャッターの背面図である。
【符号の説明】
Ａ  防煙シャッター
２  シャッター本体
３  中柱
３１  中柱バー材
３２  ジョイント部材
３３  ブラケット
３５  ロック装置
３６  固定装置
【図１】
0003653223.tif 000002
【図２】
0003653223.tif 000003
【図３】
0003653223.tif 000004
【図４】
0003653223.tif 000005
【図５】
0003653223.tif 000006
【図６】
0003653223.tif 000007
【図７】
0003653223.tif 000008
【図８】
0003653223.tif 000009
【図９】
0003653223.tif 000010
【図１０】
0003653223.tif 000011
【図１１】
0003653223.tif 000012
【図１２】
0003653223.tif 000013